(57)【特許請求の範囲】
【請求項１】
携帯端末を無線ＬＡＮ（Local are network）に接続させるための無線ＬＡＮ接続システムであって、
携帯端末と、前記携帯端末と通信を行う複数のフロントサーバと、前記複数のフロントサーバと通信を行う１個のバックサーバとを含み、
前記フロントサーバは前記携帯端末を前記無線ＬＡＮに接続させるか否かを判定する際に参照する接続権管理リストを含み、
前記バックサーバは各無線ＬＡＮに接続するための設定情報リストを含み、
さらに、前記フロントサーバと通信を行うユーザ情報データベースを含み、
前記ユーザ情報データベースには前記携帯端末の属性とユーザの属性とに対応するより詳細な情報が格納されることを特徴とする無線ＬＡＮ接続システム。
【請求項２】
前記携帯端末は赤外線通信手段を含み、前記赤外線通信手段を用いて前記フロントサーバとの通信が行われることを特徴とする請求項１記載の無線ＬＡＮ接続システム。
【請求項３】
前記携帯端末はＨＴＴＰ（ｈｙｐｅｒｔｅｘｔ  ｔｒａｎｓｆｅｒ  ｐｒｏｔｏｃｏｌ）通信手段を含み、前記ＨＴＴＰ通信手段を用いて前記フロントサーバとの通信が行われることを特徴とする請求項１記載の無線ＬＡＮ接続システム。
【請求項４】
前記フロントサーバは複数個で構成され、前記バックサーバは１個で構成されることを特徴とする請求項１から３のいずれかに記載の無線ＬＡＮ接続システム。
【請求項５】
携帯端末を無線ＬＡＮ（Local are network）に接続させるための無線ＬＡＮ接続システムにおける接続方法であって、
前記無線ＬＡＮ接続システムは、携帯端末と、前記携帯端末と通信を行う複数のフロントサーバと、前記複数のフロントサーバと通信を行う１個のバックサーバとを含み、
前記接続方法は、前記携帯端末から前記携帯端末の属性とユーザの属性に関する情報を前記フロントサーバへ送信する第１ステップと、
前記携帯端末の属性とユーザの属性に関する情報を受信した前記フロントサーバにおいて、前記情報と自端末が保持する接続権管理リストとを照合し、前記携帯端末の前記無線ＬＡＮへの接続を許可するか否かを判断する第２ステップと、
前記携帯端末の前記無線ＬＡＮへの接続が許可される場合に、前記フロントサーバにおいて接続に際して必要な設定情報の識別子を前記接続権管理リストから取得し、前記バックサーバへ送信する第３ステップと、
前記設定情報の識別子を受信した前記バックサーバにおいて、前記識別子に相当する設定情報を自サーバが保持する設定情報リストから取得し、前記フロントサーバへ返送する第４ステップと、
前記フロントサーバにおいて、受信した設定情報を前記携帯端末へ返送する第５ステップと、
前記携帯端末において、受信した設定情報を自端末内に設定し、無線ＬＡＮに接続する第６ステップとを含むことを特徴とする無線ＬＡＮ接続方法。
【請求項６】
前記無線ＬＡＮ接続システムは、前記フロントサーバと通信を行うユーザ情報データベースを含み、前記第２ステップは、
前記携帯端末の属性とユーザの属性に関する情報を受信した前記フロントサーバにおいて、前記受信した情報を前記ユーザ情報データベースへ送信するステップと、前記情報を受信した前記ユーザ情報データベースにおいて前記情報と対応するより詳細な情報を抽出し、前記フロントサーバへ返送するステップと、前記フロントサーバにおいて前記より詳細な情報と自端末が保持する接続権管理リストとを照合し、前記携帯端末の前記無線ＬＡＮへの接続を許可するか否かを判断するステップとに置換されることを特徴とする請求項５記載の無線ＬＡＮ接続方法。
【請求項７】
前記携帯端末は赤外線通信手段を含み、前記赤外線通信手段を用いて前記フロントサーバとの通信が行われることを特徴とする請求項５または６記載の無線ＬＡＮ接続方法。
【請求項８】
前記携帯端末はＨＴＴＰ（ｈｙｐｅｒｔｅｘｔ  ｔｒａｎｓｆｅｒ  ｐｒｏｔｏｃｏｌ）通信手段を含み、前記ＨＴＴＰ通信手段を用いて前記フロントサーバとの通信が行われることを特徴とする請求項５または６記載の無線ＬＡＮ接続方法。
【請求項９】
前記フロントサーバは複数個で構成され、前記バックサーバは１個で構成されることを特徴とする請求項５から８のいずれかに記載の無線ＬＡＮ接続方法。
【発明の詳細な説明】
【技術分野】
【０００１】
本発明は、携帯端末の無線ＬＡＮ（ｌｏｃａｌ  ａｒｅａ  ｎｅｔｗｏｒｋ）接続システムおよびその接続方法に関し、特に赤外線通信またはＨＴＴＰ（ｈｙｐｅｒｔｅｘｔ  ｔｒａｎｓｆｅｒ  ｐｒｏｔｏｃｏｌ）通信等を用いてサーバと通信する機能および無線ＬＡＮに接続する機能を有する携帯端末における無線ＬＡＮ接続システムおよびその接続方法に関する。
【背景技術】
【０００２】
携帯端末を無線ＬＡＮに接続させる携帯端末の無線ＬＡＮ接続システムは知られている。図７は従来のこの種の無線ＬＡＮ接続システムの一例の構成図である。同図を参照すると、従来の携帯端末の無線ＬＡＮ接続システムの一例は、携帯電話端末５００と、サーバ６００〜６０２とを含んで構成される。
【０００３】
携帯電話端末５００は携帯端末の一例である。また、サーバ６００〜６０２は一例として３個としたが、これに限定されるものではなく１個でもよいし、２個以上の数でもよい。
【０００４】
携帯電話端末５００は赤外線で外部装置と通信するための赤外線通信ユニット５０１と、無線ＬＡＮに接続する際に必要となるユーザＩＤ（ｉｄｅｎｔｉｆｉｃａｔｉｏｎ）およびパスワード５０２とを含んで構成される。
【０００５】
サーバ６００は１個または複数個の携帯電話端末を無線ＬＡＮに接続させるための接続権管理リスト６１０と設定情報リスト６２０とを含んで構成される。同様に、サーバ６０１は接続権管理リスト６１１と設定情報リスト６２１とを含んで構成され、サーバ６０２は接続権管理リスト６１２と設定情報リスト６２２とを含んで構成される。
【０００６】
次に、このシステムの動作について説明する。図８は従来の携帯端末の無線ＬＡＮ接続システムにおける接続方法の一例を示すフローチャートである。
【０００７】
同図を参照すると、まず、ユーザによりユーザＩＤとパスワードが携帯電話端末５００に入力される。また、ＧＰＳ（ｇｌｏｂａｌ  ｐｏｓｉｔｉｏｎｉｎｇ  ｓｙｓｔｅｍ）等により測定された現在位置情報が存在すれば、その現在位置情報も携帯電話端末５００の属性として入力される（ステップＳ３１）。
【０００８】
次に、携帯電話端末５００から赤外線通信ユニット５０１を介してサーバ６００に対し赤外線通信が行われ、用意した前述の情報が送信される（ステップＳ３２）。
【０００９】
次に、サーバ６００により、内部に持つそれらの属性とサーバ６００自身の属性とから、接続要求を許可するか否かが判断される（ステップＳ３３）。
【００１０】
そして、許可しない場合は（ステップＳ３４にて“ＮＯ”の場合）、許可しない旨が携帯電話端末５００に返送され、処理は終了する（ステップＳ３５）。
【００１１】
一方、許可する場合は（ステップＳ３４にて“ＹＥＳ”の場合）、接続に際して必要な設定情報の識別子（以下、“ｉｄ”と称する）が接続権管理リスト６１０の項目に存在するので、これが取得され、そのｉｄに相当する設定情報が設定情報リスト６２０から取得される（ステップＳ３６）。
【００１２】
サーバ６００ではその取得した設定情報が携帯電話端末５００へ返送される（ステップＳ３７）。
【００１３】
そして、携帯電話端末５００ではその情報が設定され、無線ＬＡＮに接続される（ステップＳ３８）。
【００１４】
一方、図示しない携帯電話端末５０１および５０２等の他の携帯端末が存在する場合は、各々の携帯電話端末５０１および５０２等において前述の携帯電話端末５００と並行して、かつ前述の携帯電話端末５００と同様の手順で、夫々サーバ６０１および６０２に対し無線ＬＡＮへの接続が要求され、それらの接続を得る。
【００１５】
一方、この種の接続システムの一例として、接続の可否や設定情報を取得するのに赤外線通信機能等を用い、サーバ装置から設定情報を携帯電話へ送信し、携帯電話において受信した設定情報をセットすることで無線ＬＡＮへ接続する発明が開示されている（たとえば、特許文献１および２参照）。
【００１６】
【特許文献１】特開２００４−０８６５４４号公報
【特許文献２】特開２００５−０９４６００号公報
【発明の開示】
【発明が解決しようとする課題】
【００１７】
しかし、従来の携帯端末の無線ＬＡＮ接続システムでは、各サーバ６００〜６０２にサーバ間で共通に用いられるべき設定情報が設けられていたため、設定情報を改訂、追加あるいは削除する場合は、各サーバ毎にそれらの作業を行う必要があり、工数を費やすと同時に誤りも発生しやすいという課題があった。
【００１８】
一方、特許文献１および２には単に携帯電話と、端末装置と、認証サーバ装置あるいは設定接続中継サーバの構成が開示されているだけであり、設定情報を唯一のサーバに集中して設けるという本発明の思想は全く開示されていない。
【００１９】
そこで本発明の目的は、設定情報を改訂、追加あるいは削除する場合に、各サーバ毎にそれらの作業を行う必要がなく、工数の削減および誤りの発生の防止が可能な携帯端末の無線ＬＡＮ接続システムおよびその接続方法を提供することにある。
【課題を解決するための手段】
【００２０】
前記課題を解決するために、本発明による携帯端末の無線ＬＡＮ接続システムは、携帯端末を無線ＬＡＮ（Local are network）に接続させるための無線ＬＡＮ接続システムであって、携帯端末と、前記携帯端末と通信を行う複数のフロントサーバと、前記複数のフロントサーバと通信を行う１個のバックサーバとを含み、前記フロントサーバは前記携帯端末を前記無線ＬＡＮに接続させるか否かを判定する際に参照する接続権管理リストを含み、前記バックサーバは各無線ＬＡＮに接続するための設定情報リストを含み、さらに、前記フロントサーバと通信を行うユーザ情報データベースを含み、前記ユーザ情報データベースには前記携帯端末の属性とユーザの属性とに対応するより詳細な情報が格納されることを特徴とする。
【００２１】
また、本発明による無線ＬＡＮ接続方法は、携帯端末を無線ＬＡＮ（Local are network）に接続させるための無線ＬＡＮ接続システムにおける接続方法であって、前記無線ＬＡＮ接続システムは、携帯端末と、前記携帯端末と通信を行う複数のフロントサーバと、前記複数のフロントサーバと通信を行う１個のバックサーバとを含み、前記接続方法は、前記携帯端末から前記携帯端末の属性とユーザの属性に関する情報を前記フロントサーバへ送信する第１ステップと、前記携帯端末の属性とユーザの属性に関する情報を受信した前記フロントサーバにおいて、前記情報と自端末が保持する接続権管理リストとを照合し、前記携帯端末の前記無線ＬＡＮへの接続を許可するか否かを判断する第２ステップと、前記携帯端末の前記無線ＬＡＮへの接続が許可される場合に、前記フロントサーバにおいて接続に際して必要な設定情報の識別子を前記接続権管理リストから取得し、前記バックサーバへ送信する第３ステップと、前記設定情報の識別子を受信した前記バックサーバにおいて、前記識別子に相当する設定情報を自サーバが保持する設定情報リストから取得し、前記フロントサーバへ返送する第４ステップと、前記フロントサーバにおいて、受信した設定情報を前記携帯端末へ返送する第５ステップと、前記携帯端末において、受信した設定情報を自端末内に設定し、無線ＬＡＮに接続する第６ステップとを含むことを特徴とする。
【００２２】
ここで、本発明の作用を述べる。本発明で対象とする端末は、携帯電話等の携帯端末で、赤外線通信によりサーバと通信することができ、また無線ＬＡＮ端末として無線ＬＡＮに接続する機能の両方を有するものである。
【００２３】
本発明による接続権管理サーバにはフロントサーバとバックサーバの２つがあり、フロントサーバは複数個で構成することが可能で、携帯端末と赤外線により通信を行う。
【００２４】
フロントサーバは、ユーザや端末の属性により接続を拒否するかあるいは許可する。また、接続を許可する場合に必要な設定情報の識別子（ｉｄ）のリストを備えている。
【００２５】
一方、バックサーバは、設定情報リストを備えており、それぞれの情報にｉｄが付与されている。
【００２６】
携帯端末は、フロントサーバに対して、ユーザＩＤ、パスワード等のユーザ情報と、可能であればＧＰＳ等により現在位置等の携帯端末の情報を送信する。
【００２７】
フロントサーバは、このユーザ属性と、保持している接続権管理リストとを比較して、その端末に適した無線ＬＡＮの設定条件のｉｄを選別する。
【００２８】
次に、フロントサーバはバックサーバに、ｉｄをキーとして設定情報を要求する。そして、バックサーバから返送された設定情報は携帯端末に返送され、設定される。これにより、携帯端末は無線ＬＡＮに接続される。
【発明の効果】
【００２９】
本発明によれば、上記構成を含むことにより、設定情報を改訂、追加あるいは削除する場合に、各サーバ毎にそれらの作業を行う必要がなく、工数の削減および誤りの発生の防止が可能な携帯端末の無線ＬＡＮ接続システムおよびその接続方法を提供することが可能となる。
【発明を実施するための最良の形態】
【００３０】
以下、本発明の実施例について添付図面を参照しながら説明する。
【実施例１】
【００３１】
図１は本発明に係る携帯端末の無線ＬＡＮ接続システムの第１実施例の構成図、図２は第１実施例の動作を示すフローチャートである。
【００３２】
図１を参照すると、携帯端末の無線ＬＡＮ接続システムは、携帯端末の一例である携帯電話端末１００と、一例として３個のフロントサーバ２００〜２０２と、１個のバックサーバ３００とを含んで構成される。
【００３３】
なお、本発明では、携帯端末の一例として携帯電話端末１００を挙げるが、これに限定されるものではなく他の無線端末でもよい。また、フロントサーバを３個（フロントサーバ２００〜２０２）で構成するが、これに限定されるものではなく１個あるいは２個もしくは４個以上でもよい。
【００３４】
携帯電話端末１００は外部装置と赤外線通信するための赤外線通信ユニット１０１と、ユーザＩＤおよびパスワード１０２とを含んでいる。携帯電話端末１００は赤外線通信ユニット１０１を介してフロントサーバ２００と通信を行う。
【００３５】
フロントサーバ２００は接続権管理リスト２１０を含んでいる。フロントサーバ２００は、携帯電話端末１００の属性とユーザの属性によって、接続するか否かの判定を接続権管理リスト２１０を参照して行う。また、接続に際して必要な設定情報のｉｄをこの接続権管理リスト２１０から取得する。
【００３６】
フロントサーバ２０１および２０２も、フロントサーバ２００と同様の接続権管理リスト２１１および２１２をそれぞれ含んでいる。
【００３７】
バックサーバ３００は各無線ＬＡＮに接続するための設定情報リスト３１０を含んでおり、それぞれにｉｄを有している。
【００３８】
ここで、携帯電話端末１００はフロントサーバ２００と通信するが、これと並行して図示しない携帯電話端末１１０がフロントサーバ２０１と、図示しない携帯電話端末１２０がフロントサーバ２０２とそれぞれ通信することが可能である。
【００３９】
その目的は、接続判定を複数の端末１００、１１０および１２０に対して並行に行って処理時間を短縮すること、および異なるフロアにフロントサーバ２００〜２０２を配置して異なる無線ＬＡＮに接続すること等にある。
【００４０】
次に、図２を参照しながら本発明に係る携帯端末の無線ＬＡＮ接続システムの第１実施例の動作について説明する。
【００４１】
本実施例では、携帯電話端末１００を用いてネットワーク（一例として、インターネット）に接続する場合を考える。ユーザはその場の無線ＬＡＮへの接続を制御するフロントサーバ２００と通信を行う。この通信として、本実施例では赤外線通信を用いる。
【００４２】
まず、ユーザにより携帯電話端末１００にユーザＩＤ、パスワードおよび位置情報等が入力される（ステップＳ１）。
【００４３】
次に、携帯電話端末１００から赤外線通信ユニット１０１を介してフロントサーバ２００に対し、用意した情報（ユーザＩＤ、パスワードおよび位置情報等）が送信される（ステップＳ２）。
【００４４】
次に、フロントサーバ２００により、受け取った情報と、保持している接続権管理リスト２１０とが照合され、接続を許可するか否かが判断される（ステップＳ３）。
【００４５】
そして、接続を許可しない場合は（ステップＳ４にて“ＮＯ”の場合）、その旨が携帯電話端末１００に通知され、処理は終了する（ステップＳ５）。
【００４６】
一方、接続を許可する場合は（ステップＳ４にて“ＹＥＳ”の場合）、接続に際して必要な設定情報のｉｄが接続権管理リスト２１０の図示しない接続許可リストの項目に存在するので、これが取得されバックサーバ３００に送信される（ステップＳ６）。
【００４７】
バックサーバ３００では、受信したｉｄに相当する設定情報が設定情報リスト３１０から取得されフロントサーバ２００へ返送される（ステップＳ７）。
【００４８】
フロントサーバ２００ではその取得した設定情報が携帯電話端末１００へ返送される（ステップＳ８）。
【００４９】
そして、携帯電話端末１００では受信した設定情報が端末内に設定され、無線ＬＡＮに接続される（ステップＳ９）。
【００５０】
なお、図示しない携帯電話端末１１０および１２０も携帯電話端末１００と同様の手順によりフロントサーバ２０１および２０２とそれぞれ通信し、フロントサーバ２０１および２０２もフロントサーバ２００と同様の手順によりバックサーバ３００と通信する。
【００５１】
本発明の第１実施例によれば、複数のフロントサーバが存在する場合に、設定情報リストを各サーバに配置する手間を省略することができ、また各フロントサーバ間で設定情報リストに齟齬を来たすことを防止することができる。
【００５２】
その理由は、設定情報リストを一個のバックサーバに集約して配置し、そこに問い合わせる設定および手順を採用したためである。
【実施例２】
【００５３】
図３は本発明に係る携帯端末の無線ＬＡＮ接続システムの第２実施例の構成図、図４は第２実施例の動作を示すフローチャートである。第２実施例が第１実施例と異なる点は、第１実施例の携帯電話端末１００が外部装置と通信するために赤外線通信ユニット１０１を有していたのに対し（図１参照）、第２実施例の携帯電話端末１５０は、赤外線通信ユニット１０１の代わりに携帯電話ＨＴＴＰ通信機能１０３を有していることである。その他のシステムの構成は第１実施例と同様であるため、同様の構成部分には第１実施例と同様の番号を付し、その説明を省略する。
【００５４】
すなわち、第２実施例では携帯電話端末１５０とフロントサーバ２００との通信を、携帯電話端末１５０の携帯電話ＨＴＴＰ通信機能１０３を用いて行っている。このとき、携帯電話ＨＴＴＰ通信機能１０３は料金面で、携帯電話無線ＬＡＮ機能による通信よりも不利と考えられるため、なるべく多く使いたくないことに留意する。そのため、最低限の初期設定を携帯電話ＨＴＴＰ通信機能１０３により行った後、携帯電話無線ＬＡＮ機能に移行する手法を考える。
【００５５】
この構成では、フロントサーバ２００は特に制限なくＨＴＴＰ通信を行うことができる無線ＬＡＮサーバとして設定されている。携帯電話端末１５０は、目的の無線ＬＡＮに携帯電話無線ＬＡＮ機能を用いて接続する前に、フロントサーバ２００に携帯電話ＨＴＴＰ通信機能１０３を用いて接続する。この接続を用いる以外は第１実施例と同様の手順で接続許可の判断や、接続を許可する場合の設定情報の取得を行い、無線ＬＡＮに接続する。この過程では、携帯電話端末１５０にＧＰＳ機能があれば、端末の位置をフロントサーバ２００に通知することにより、適切な無線ＬＡＮに接続する助けとなる。
【００５６】
次に、図４を参照しながら本発明に係る携帯端末の無線ＬＡＮ接続システムの第２実施例の動作について説明する。本実施例ではフロントサーバ２００との通信に携帯電話ＨＴＴＰ通信機能１０３を用いる。
【００５７】
まず、ユーザにより携帯電話端末１５０にユーザＩＤ、パスワードおよび位置情報等が入力される（ステップＳ１１）。
【００５８】
次に、携帯電話端末１５０から携帯電話ＨＴＴＰ通信機能１０３を介してフロントサーバ２００に対し、用意した情報（ユーザＩＤ、パスワードおよび位置情報等）が送信される（ステップＳ１２）。
【００５９】
続いてステップＳ１３〜Ｓ１９が実行されるが、これらは第１実施例におけるステップＳ３〜Ｓ９（図２参照）と同様であるため、それらの説明を省略する。
本発明の第２実施例によれば、携帯電話端末１５０が最初に接続するフロントサーバが手元になくてもよく、接続に際しての利便性が上がる。
【００６０】
その理由は、携帯電話端末１５０が携帯電話ＨＴＴＰ通信機能１０３を介してフロントサーバ２００と通信する構成を採用したためである。
【実施例３】
【００６１】
図５は本発明に係る携帯端末の無線ＬＡＮ接続システムの第３実施例の構成図、図６は第３実施例の動作を示すフローチャートである。第３実施例が第１および第２実施例と異なる点は、ユーザ情報データベース４００が追加されていることである。また、携帯電話端末１６０に設けた赤外線通信ユニット１０１あるいは携帯電話ＨＴＴＰ通信機能１０３のいずれかを介して、携帯電話端末１６０がフロントサーバ２００と通信する点も第１および第２実施例と異なる。その他のシステムの構成は第１および第２実施例と同様であるため、同様の構成部分には第１および第２実施例と同様の番号を付し、その説明を省略する。
【００６２】
ユーザ情報データベース４００には、ユーザＩＤ、パスワード、携帯電話の位置等の属性に対応するより詳細な情報、たとえばユーザの職級、所属部署、勤続年数等が格納されている。
【００６３】
次に、図６を参照しながら本発明に係る携帯端末の無線ＬＡＮ接続システムの第３実施例の動作について説明する。
【００６４】
まず、ユーザにより携帯電話端末１６０にユーザＩＤ、パスワードおよび位置情報等が入力される（ステップＳ２１）。
【００６５】
次に、携帯電話端末１６０から赤外線通信ユニット１０１あるいは携帯電話ＨＴＴＰ通信機能１０３を介してフロントサーバ２００に対し、用意した情報（ユーザＩＤ、パスワードおよび位置情報等）が送信される（ステップＳ２２）。
【００６６】
次に、フロントサーバ２００では携帯電話端末１６０から送られてきたこれらの情報がユーザ情報データベース４００へ送信される（ステップＳ２３）。
【００６７】
次に、ユーザ情報データベース４００では受信したこれらの情報に対応するより詳細な情報、たとえば職級、所属部署、勤続年数等が抽出され、フロントサーバ２００へ返送される（ステップＳ２４）。
【００６８】
次に、フロントサーバ２００により、受け取ったより詳細な情報、たとえば職級、所属部署、勤続年数等の情報と、保持している接続権管理リスト２１０とが照合され、接続を許可するか否かが判断される（ステップＳ２５）。
【００６９】
続いてステップＳ２６〜Ｓ３１が実行されるが、これらは第１実施例におけるステップＳ４〜Ｓ９（図２参照）および第２実施例におけるステップＳ１４〜Ｓ１９（図４参照）と同様であるため、それらの説明を省略する。
【００７０】
本発明の第３実施例によれば、より詳細な情報、たとえば職級、所属部署、勤続年数等の情報に基づいて接続を許可するか否かを判断することが可能となる。
【００７１】
その理由は、ユーザＩＤ、パスワード、携帯電話の位置等の属性に対応するより詳細な情報、たとえばユーザの職級、所属部署、勤続年数等が格納されたユーザ情報データベース４００を含むためである。
【産業上の利用可能性】
【００７２】
本発明は、１箇所に存在するネットワークのみではなく、同じ建物の異なるフロアや異なる地域に展開するネットワークに対して適用が可能である。
【図面の簡単な説明】
【００７３】
【図１】本発明に係る携帯端末の無線ＬＡＮ接続システムの第１実施例の構成図である。
【図２】第１実施例の動作を示すフローチャートである。
【図３】本発明に係る携帯端末の無線ＬＡＮ接続システムの第２実施例の構成図である。
【図４】第２実施例の動作を示すフローチャートである。
【図５】本発明に係る携帯端末の無線ＬＡＮ接続システムの第３実施例の構成図である。
【図６】第３実施例の動作を示すフローチャートである。
【図７】従来のこの種の無線ＬＡＮ接続システムの一例の構成図である。
【図８】従来の携帯端末の無線ＬＡＮ接続システムにおける接続方法の一例を示すフローチャートである。
【符号の説明】
【００７４】
１００  携帯電話端末
１０１  赤外線通信ユニット
１０２  ユーザＩＤおよびパスワード
１０３  携帯電話ＨＴＴＰ通信機能
１５０  携帯電話端末
１６０  携帯電話端末
２００〜２０２  フロントサーバ
２１０〜２１２  接続権管理リスト
３００  バックサーバ
３１０  設定情報リスト
４００  ユーザ情報データベース
【図１】
0004470891.tif 000002
【図２】
0004470891.tif 000003
【図３】
0004470891.tif 000004
【図４】
0004470891.tif 000005
【図５】
0004470891.tif 000006
【図６】
0004470891.tif 000007
【図７】
0004470891.tif 000008
【図８】
0004470891.tif 000009